(57)【特許請求の範囲】
【請求項１】
被検体をＸ線撮影する撮影室の天井部、あるいは撮影室の天井部天井面のＸＹ方向にスライドされる移動架台、にその上端部を支持し、下端部に取着されるＸ線管を撮影室内の被検体に向けて昇降可能とする伸縮軸からなり、軸線を上下方向に対応させる径の異なる少なくとも２本以上の管状体を、大径の管状体の内周部の周方向での複数位置にローラ状の軸受を配設し、小径の管状体の外周面を前記ローラ状の軸受に対して当接させるようにして大径の管状体内に小径の管状体を内挿させる状態でスライド可能に支持させ、大径の管状体に対して小径の管状体を上昇スライドすることで大径の管状体内に小径の管状体を格納可能とし、大径の管状体に対して小径の管状体を下降スライドすることで大径の管状体から小径の管状体を外部に進出させるようにして相互に嵌合され、最大径の管状体の上端部を上記天井部あるいは移動架台に支持し、最小径の管状体の下端部に上記Ｘ線管を取着し、大径の管状体に対する小径の管状体の軸線方向でのスライドにより、Ｘ線管を撮影室内の被検体に向けて昇降可能とする全体竹の子形状の多段式の伸縮軸を備えたＸ線管の保持装置にあって、
前記大径の管状体の下方位置の周方向での複数位置に切欠きを形成し、該切欠き部分に取着可能とされ、取着状態において小径の管状体の外周面に対向するその内周部に、ローラ状の軸受を支持する支持板を備えることとし、
一方小径の管状体の外周面のうち、前記支持板に支持されるローラ状の軸受の対向位置には、上下方向に延設され、支持板に支持されるローラ状の軸受に対して当接可能なレール部材を備えることを特徴とするＸ線管の保持装置。
【請求項２】
前記ローラ状の軸受に対して当接可能なレール部材は、小径の管状体の外周面の上下方向に延設される凹条の内部において、その上下方向に延設形成される嵌合溝に嵌合可能に支持され、該嵌合溝に交換可能に支持される長尺の棒状体とされる請求項１に記載のＸ線管の保持装置。
【請求項３】
前記嵌合溝は、半円形状に湾曲する形状で小径の管状体の外周面の上下方向に延設され、一方嵌合溝に嵌合可能とされ、交換可能に支持される長尺の棒状体からなるレール部材は、断面円形のものとされて前記嵌合溝の半円形状に湾曲する部分にその断面半円部分を嵌合・支持され、嵌合溝に支持されていない他の半円部分の接線位置において、前記ローラ状の軸受に当接可能とされる請求項２に記載のＸ線管の保持装置。
【請求項４】
前記長尺の棒状体からなるレール部材は、スチールやアルミニウムからなる金属製の棒材またはゴム製、合成樹脂製の棒材のいずれかである請求項２または請求項３のいずれかに記載のＸ線管の保持装置。
【請求項５】
前記嵌合溝に対する棒状体からなるレール部材の交換は、大径の管状体に対して小径の管状体を下降スライドし、大径の管状体に対して小径の管状体を外部に進出させる状態で行うことを可能とした請求項２ないし４のいずれかに記載のＸ線管の保持装置。
【請求項６】
前記切欠き部分に対する支持板の取着状態において、小径の管状体の外周面に対向する支持板内周部に備えられるローラ状の軸受は、その軸線を小径の管状体の外周面に対する接線方向に対して傾斜して配置し、レール部材と当接するローラ面についても傾斜状態にして支持板の内周部に支持するものとされ、一方小径の管状体の外周面のうち、前記支持板に支持されるローラ状の軸受の対向位置において、ローラ状の軸受に対して当接可能に備えられるレール部材は、小径の管状体の外周面の上下方向に延設される凹条の内部において、その上下方向に延設形成される嵌合溝に嵌合可能に支持される長尺の棒状体とされ、支持板の内周部に支持されるローラ状の軸受は、前記凹条の内部の嵌合溝に支持される長尺の棒状体とそのローラ面が当接されるように凹条の内部に向けて突出するように形成され、一方嵌合溝に嵌合可能に支持される長尺の棒状体については傾斜状態のローラ面と棒状体を支持する嵌合溝の形成面が平行となるように小径の管状体の外周面の上下方向において凹条を傾斜状態で形成
することとした請求項１に記載のＸ線管の保持装置。
【請求項７】
前記切欠き部分に対する支持板の取着状態において、小径の管状体の外周面に対向する支持板内周部に備えられるローラ状の軸受は、その軸線を小径の管状体の外周面に対する接線方向に対して相互に異なる傾斜状態で少なくとも一対配置して構成し、各軸受はレール部材と当接するローラ面についても傾斜状態にして支持板の内周部に支持するものとされ、一方小径の管状体の外周面のうち、前記支持板に支持される各ローラ状の軸受の対向位置においても、各ローラ状の軸受に対して当接可能に突状のレール部材を対応配置し、各レール部材は小径の管状体の外周面の上下方向に延設される凹条の内部において、その上下方向に延設形成される嵌合溝に嵌合可能に支持される長尺の棒状体とされ、支持板の内周部に支持される各ローラ状の軸受は、前記凹条の内部の嵌合溝に支持される対応する長尺の棒状体とそのローラ面が当接されるように凹条の内部に向けて突出するように形成され、一方嵌合溝に嵌合可能に支持される各長尺の棒状体については対応する傾斜状態のローラ面とこれに当接する棒状体を支持する嵌合溝の形成面が平行となるように小径の管状体の外周面の上下方向において凹条を傾斜状態で形成することとした請求項１に記載のＸ線管の保持装置。
【請求項８】
前記大径の管状体の下方位置の周方向での複数位置に形成される切欠き部分に取着可能とされる支持板は、大径の管状体の周部における対向する少なくとも２位置に配設され、該支持板を取着する大径の管状体の周部に形成される切欠き部分も大径の管状体の周部において対向する少なくとも２位置に配設され、さらに該切欠きは大径の管状体の周部対応位置に穿設形成される角孔とされ、この角孔に取着される支持板は、該角孔の周部に形成される段部と嵌合されてその四隅を段部にネジ止め可能とし、嵌合状態においてその外面位置をその外方に外挿される大径の管状体の外周面よりも内方に位置決め可能となるよう薄肉の板状体にて形成したことを特徴とする請求項１、請求項６または請求項７のいずれかに記載のＸ線管の保持装置。
【請求項９】
被検体をＸ線撮影する撮影室の天井部、あるいは撮影室の天井部天井面のＸＹ方向にスライドされる移動架台、にその上端部を支持し、下端部に取着されるＸ線管を撮影室内の被検体に向けて昇降可能とする伸縮軸からなり、軸線を上下方向に対応させる径の異なる少なくとも３本以上の管状体にて構成し、大径の管状体のうち、上端部を上記天井部あるいは移動架台に支持してなる最大径の管状体の下端部周方向での複数位置には、最大径の管状体の内方に直接内挿され、最大径の管状体にスライド可能に支持される小径の管状体の外周面の下方位置の周方向での複数位置の切欠き部分に取着可能とされる支持板を、最大径の管状体に対して該小径の管状体を上昇スライドする最大径の管状体内に該小径の管状体を格納する状態において、係入・位置決め可能とする切除ガイドを備えることとしてなる請求項１、あるいは請求項６ないし請求項８のいずれかに記載のＸ線管の保持装置。
【発明の詳細な説明】
【技術分野】
【０００１】
本発明は、被検体をＸ線撮影する撮影室の天井部、あるいは撮影室の天井部天井面のＸＹ方向にスライドされる移動架台、にその上端部を支持し、下端部に取着されるＸ線管を撮影室内の被検体に向けて昇降可能とする伸縮軸を備えた天井懸垂タイプのＸ線管の保持装置に関する。
【背景技術】
【０００２】
従来、天井懸垂タイプのＸ線管の保持装置としては、様々なタイプのものが提供されており、例えば下記特許文献１に示され、撮影室の天井部天井面のＸＹ方向にスライドされる移動架台にその上端部を支持する伸縮軸を備えるタイプのものが一般的とされる。
【先行技術文献】
【特許文献】
【０００３】
【特許文献１】特開2008-104703号公報
【０００４】
すなわち、図１４ないし図１６に示される天井懸垂タイプのＸ線管の保持装置１は、撮影室の天井部の天井面２にＸ方向移動ガイド用の固定レールとしてのＸレール３を支持している。このＸレール３には、Ｘ方向に沿ってスライド可能とされる移動レールとしてのＹレール４が支持される。さらにこのＹレール４には、Ｙレール４に沿ってＹ方向にスライド可能とされる移動架台５が支持される。天井面２に対しＸレール３に沿ってＸ方向にスライド可能とされ、かつＹレール４に沿ってＹ方向にスライド可能とされる移動架台５には、伸縮軸６の上端部が支持され、該伸縮軸６の下端部には撮影室内にいる被検体（患者、検査対象者等）をＸ線撮影するためのＸ線管７が支持される。
【０００５】
すなわち、撮影室内の被検体は、通常撮影室内の床面に支持されるベッドに横臥状態とされるか、床面に起立する状態にあり、伸縮軸６の下端に支持されるＸ線管７は、天井面２に対して移動架台５に支持される伸縮軸６をＸレール３に沿ってＸ方向にスライド可能とされ、かつＹレール４に沿ってＹ方向にスライドさせることで被検体の撮影位置に向けて水平移動させることを可能とし、さらにＸ線管７を移動架台５に対して伸縮軸６を上下方向（Ｚ方向）に伸縮させてスライドすることで、被検体の撮影位置に対応させる状態で昇降し、位置決めすることを可能にしている。
【０００６】
上端部を移動架台５に支持し、下端部にＸ線管７を取着する状態で支持してなる伸縮軸６は、軸線を上下方向（Ｚ方向）に対応させる径の異なる複数本の管状体を、全体竹の子形状に多段式に収納する状態で形成してなる。すなわち、図１４ないし図１６に示されるＸ線管の保持装置１における伸縮軸６においては、その上端部を移動架台５に支持する大径の管状体６Ａ、その内周部に内挿される管状体６Ｂ、その内周部に内挿される管状体６Ｃ、その内周部に内挿される管状体６Ｄ、その内周部に内挿されるの管状体６Ｅの、大径のものから順次小径のものを内挿してなる合計５本の管状体６Ａ〜６Ｅにて構成され、各管状体６Ａ〜６Ｅはそれぞれ角管状の金属材にて構成してなる。
【０００７】
大径のものから順次小径のものを、その内周部に内挿してた構成される管状体６Ａ〜６Ｄの各内周部位置には、角管状の４つの各内周面部のそれぞれに、軸線を中心にローラ面を転動可能とする一対のローラ状の軸受６ａａ，６ｂｂ，６ｃｃ，６ｄｄを配設してなる（図１６参照）。ローラ面を転動可能とする各ローラ状の軸受のうち、軸受６ａａのローラ面はその転動により内方に内挿される小径の管状体６Ｂの外周面を、当接させるようにしてスライド可能に支持し、軸受６ｂｂのローラ面はその転動により内方に内挿される小径の管状体６Ｃの外周面を当接させるようにしてスライド可能に支持し、軸受６ｃｃのローラ面はその転動により内方に内挿される小径の管状体６Ｄの外周面を当接させるようにしてスライド可能に支持し、軸受６ｄｄのローラ面はその転動により内方に内挿される小径の管状体６Ｅの外周面を当接させるようにしてスライド可能に支持している。
【０００８】
伸縮軸６は、図１５に示すように各大径の管状体に対してそれぞれ小径の管状体を上昇スライドすることで大径の管状体内に小径の管状体を格納することを可能とし、これとは逆に図１４に示すように各大径の管状体に対して小径の管状体を下降スライドすることで大径の管状体から順次小径とされる管状体を外部に進出させることを可能としている。大径の管状体の下方位置と小径の管状体の上方位置には、図１４に示すような大径の管状体から小径の管状体を外部に進出させる進出端を規制し、相互に咬合するスライドストッパ（不図示）を各管状体に備えるようにしている。これにより各管状体６Ａ〜６Ｅは、相互に嵌合される状態となる。最大径の管状体６Ａの上端部は上記のように移動架台５に支持され、一方最小径の管状体６Ｅの下端部には上記Ｘ線管７が取着される。
【０００９】
最小径の管状体６Ｅの下端部に取着されるＸ線管７には、図１４および図１５に示すように操作盤８が取着され、該操作盤８には操作盤８からその両側部へ延びる状態で操作ハンドル９が備えられる。また操作盤８には、操作モニタ１０、操作スイッチ１０Ｒがそれぞれ備えられ、レントゲン技師においては一対の操作ハンドル９を把持し、手動あるいは操作スイッチ１０Ｒを操作することで、移動架台５を天井面２に対しＸＹ方向に水平移動し、さらに移動架台５に対して伸縮軸６を伸縮させてＸ線管７を上下方向（Ｚ方向）に昇降させることを可能にしている。
【００１０】
さらに一対の操作ハンドル９を把持し、手動あるいは操作スイッチ１０Ｒを操作するレントゲン技師においては、Ｘ線管７の被検体（患者、検査対象者等）の撮影方向（Ｘ線の照射方向）が矢印Ｐ方向とされるため、操作ハンドル９を把持する状態でＸ線管７を伸縮軸６の最小径の管状体６Ｅの下端部に対してθ１方向に回動操作したり、θ２方向に回動操作し、被検体（患者、検査対象者等）対してＸ線管７を対応位置決めし、所定の撮影可能状態に指向させるようにしている。
【００１１】
ところで、このような全体竹の子形状の多段式の伸縮軸を備えた従来の天井懸垂タイプのＸ線管の保持装置１にあっては、伸縮軸６を伸縮させる状態でＸ線管７を上下方向（Ｚ方向）に昇降操作させており、この伸縮軸６については構成部品としての各管状体６Ａ〜６Ｅについて、大径のものから順次小径のものを、その内周部に内挿した構成としている。さらに、管状体６Ａ〜６Ｄの各内周部位置には、角管状の４つの各内周面部にそれぞれ一対のローラ状の軸受６ａａ，６ｂｂ，６ｃｃ，６ｄｄを配設しているため（図１６参照）、必然的に伸縮軸６の全体の外径が大きくなるものとされていた。すなわち、伸縮軸６にあっては、各管状体６Ａ〜６Ｅ間に介装される各軸受６ａａ，６ｂｂ，６ｃｃ，６ｄｄの厚み分により伸縮軸６の全体の外径が大きくなることになり、その分装置全体が過大になり、高荷重なものとされた。
【００１２】
しかも伸縮軸６の下端に取着されるＸ線管７についても極めて高荷重とされ、レントゲン技師が操作ハンドル９を把持してＸ線管７を昇降操作し、長年使用しているうちに各軸受６ａａ，６ｂｂ，６ｃｃ，６ｄｄ部分に荷重負担がかかり、軸受６ａａ，６ｂｂ，６ｃｃ，６ｄｄのローラ面とこれに接する内方に内挿される小径の管状体外周面との間に隙間ができ、ガタツキが発生する場合があった。このようなガタツキが発生すると、レントゲン技師が操作ハンドル９を把持してＸ線管７を昇降操作する際に異音が発生し、被検体（患者、検査対象者等）に対して不快感を与える場合があった。
【００１３】
このようなガタツキを解消するため、軸受６ａａ，６ｂｂ，６ｃｃ，６ｄｄ部分の取付調整や軸受６ａａ，６ｂｂ，６ｃｃ，６ｄｄに対する注油などのメンテナンス作業を行い、さらに軸受６ａａ，６ｂｂ，６ｃｃ，６ｄｄを交換するなどの作業を行う必要が生じるものの、軸受６ａａ，６ｂｂ，６ｃｃ，６ｄｄは図１６に示すように各管状体６Ａ〜６Ｅの間に介装されるため、こうした作業は伸縮軸６を分解して行わなければならず、面倒とされていた。
【発明の概要】
【発明が解決しようとする課題】
【００１４】
本発明は、上述した背景に鑑みてなされたものであり、Ｘ線管を撮影室内の被検体（患者、検査対象者等）に向けて昇降可能とする伸縮軸を備えた天井懸垂タイプのＸ線管の保持装置において、下端部にＸ線管を取着してなる伸縮軸を小径でコンパクトなものとすることができ、しかも昇降操作を静穏かつスムーズに行うことを可能とし、伸縮軸に対するメンテナンスについても簡易に行うことを可能とするＸ線管の保持装置の提供を目的とする。
【課題を解決するための手段】
【００１５】
上記目的を達成するため、本発明の請求項１は、被検体をＸ線撮影する撮影室の天井部、あるいは撮影室の天井部天井面のＸＹ方向にスライドされる移動架台、にその上端部を支持し、下端部に取着されるＸ線管を撮影室内の被検体に向けて昇降可能とする伸縮軸からなり、軸線を上下方向に対応させる径の異なる少なくとも２本以上の管状体を、大径の管状体の内周部の周方向での複数位置にローラ状の軸受を配設し、小径の管状体の外周面を前記ローラ状の軸受に対して当接させるようにして大径の管状体内に小径の管状体を内挿させる状態でスライド可能に支持させ、大径の管状体に対して小径の管状体を上昇スライドすることで大径の管状体内に小径の管状体を格納可能とし、大径の管状体に対して小径の管状体を下降スライドすることで大径の管状体から小径の管状体を外部に進出させるようにして相互に嵌合され、最大径の管状体の上端部を上記天井部あるいは移動架台に支持し、最小径の管状体の下端部に上記Ｘ線管を取着し、大径の管状体に対する小径の管状体の軸線方向でのスライドにより、Ｘ線管を撮影室内の被検体に向けて昇降可能とする全体竹の子形状の多段式の伸縮軸を備えたＸ線管の保持装置にあって、前記大径の管状体の下方位置の周方向での複数位置に切欠きを形成し、該切欠き部分に取着可能とされ、取着状態において小径の管状体の外周面に対向するその内周部に、ローラ状の軸受を支持する支持板を備えることとし、一方小径の管状体の外周面のうち、前記支持板に支持されるローラ状の軸受の対向位置には、上下方向に延設され、支持板に支持されるローラ状の軸受に対して当接可能なレール部材を備えることを特徴とするＸ線管の保持装置としている。
【００１６】
また、本発明の請求項２は、前記ローラ状の軸受に対して当接可能なレール部材は、小径の管状体の外周面の上下方向に延設される凹条の内部において、その上下方向に延設形成される嵌合溝に嵌合可能に支持され、該嵌合溝に交換可能に支持される長尺の棒状体とされる請求項１に記載のＸ線管の保持装置としている。
【００１７】
また、本発明の請求項３は、前記嵌合溝は、半円形状に湾曲する形状で小径の管状体の外周面の上下方向に延設され、一方嵌合溝に嵌合可能とされ、交換可能に支持される長尺の棒状体からなるレール部材は、断面円形のものとされて前記嵌合溝の半円形状に湾曲する部分にその断面半円部分を嵌合・支持され、嵌合溝に支持されていない他の半円部分の接線位置において、前記ローラ状の軸受に当接可能とされる請求項２に記載のＸ線管の保持装置としている。
【００１８】
また、本発明の請求項４は、前記長尺の棒状体からなるレール部材は、スチールやアルミニウムからなる金属製の棒材またはゴム製、合成樹脂製の棒材のいずれかである請求項２または請求項３のいずれかに記載のＸ線管の保持装置としている。
【００１９】
また、本発明の請求項５は、前記嵌合溝に対する棒状体からなるレール部材の交換は、大径の管状体に対して小径の管状体を下降スライドし、大径の管状体に対して小径の管状体を外部に進出させる状態で行うことを可能とした請求項２ないし４のいずれかに記載のＸ線管の保持装置としている。
【００２０】
また、本発明の請求項６は、前記切欠き部分に対する支持板の取着状態において、小径の管状体の外周面に対向する支持板内周部に備えられるローラ状の軸受は、その軸線を小径の管状体の外周面に対する接線方向に対して傾斜して配置し、レール部材と当接するローラ面についても傾斜状態にして支持板の内周部に支持するものとされ、一方小径の管状体の外周面のうち、前記支持板に支持されるローラ状の軸受の対向位置において、ローラ状の軸受に対して当接可能に備えられるレール部材は、小径の管状体の外周面の上下方向に延設される凹条の内部において、その上下方向に延設形成される嵌合溝に嵌合可能に支持される長尺の棒状体とされ、支持板の内周部に支持されるローラ状の軸受は、前記凹条の内部の嵌合溝に支持される長尺の棒状体とそのローラ面が当接されるように凹条の内部に向けて突出するように形成され、一方嵌合溝に嵌合可能に支持される長尺の棒状体については傾斜状態のローラ面と棒状体を支持する嵌合溝の形成面が平行となるように小径の管状体の外周面の上下方向において凹条を傾斜状態で形成することとした請求項１に記載のＸ線管の保持装置としている。
【００２１】
また、本発明の請求項７は、前記切欠き部分に対する支持板の取着状態において、小径の管状体の外周面に対向する支持板内周部に備えられるローラ状の軸受は、その軸線を小径の管状体の外周面に対する接線方向に対して相互に異なる傾斜状態で少なくとも一対配置して構成し、各軸受はレール部材と当接するローラ面についても傾斜状態にして支持板の内周部に支持するものとされ、一方小径の管状体の外周面のうち、前記支持板に支持される各ローラ状の軸受の対向位置においても、各ローラ状の軸受に対して当接可能にレール部材を対応配置し、各のレール部材は小径の管状体の外周面の上下方向に延設される凹条の内部において、その上下方向に延設形成される嵌合溝に嵌合可能に支持される長尺の棒状体とされ、支持板の内周部に支持される各ローラ状の軸受は、前記凹条の内部の嵌合溝に支持される対応する長尺の棒状体とそのローラ面が当接されるように凹条の内部に向けて突出するように形成され、一方嵌合溝に嵌合可能に支持される各長尺の棒状体については対応する傾斜状態のローラ面とこれに当接する棒状体を支持する嵌合溝の形成面が平行となるように小径の管状体の外周面の上下方向において凹条を傾斜状態で形成することとした請求項１に記載のＸ線管の保持装置としている。
【００２２】
また、本発明の請求項８は、前記大径の管状体の下方位置の周方向での複数位置に形成される切欠き部分に取着可能とされる支持板は、大径の管状体の周部における対向する少なくとも２位置に配設され、該支持板を取着する大径の管状体の周部に形成される切欠き部分も大径の管状体の周部において対向する少なくとも２位置に配設され、さらに該切欠きは大径の管状体の周部対応位置に穿設形成される角孔とされ、この角孔に取着される支持板は、該角孔の周部に形成される段部と嵌合されてその四隅を段部にネジ止め可能とし、嵌合状態においてその外面位置をその外方に外挿される大径の管状体の外周面よりも内方に位置決め可能となるよう薄肉の板状体にて形成したことを特徴とする請求項１、請求項６または請求項７のいずれかに記載のＸ線管の保持装置としている。
【００２３】
さらに、本発明の請求項９は、被検体をＸ線撮影する撮影室の天井部、あるいは撮影室の天井部天井面のＸＹ方向にスライドされる移動架台、にその上端部を支持し、下端部に取着されるＸ線管を撮影室内の被検体に向けて昇降可能とする伸縮軸からなり、軸線を上下方向に対応させる径の異なる少なくとも３本以上の管状体にて構成し、大径の管状体のうち、上端部を上記天井部あるいは移動架台に支持してなる最大径の管状体の下端部周方向での複数位置には、最大径の管状体の内方に直接内挿され、最大径の管状体にスライド可能に支持される小径の管状体の外周面の下方位置の周方向での複数位置の切欠き部分に取着可能とされる支持板を、最大径の管状体に対して該小径の管状体を上昇スライドする最大径の管状体内に該小径の管状体を格納する状態において、係入・位置決め可能とする切除ガイドを備えることとしてなる請求項１、あるいは請求項６ないし請求項８のいずれかに記載のＸ線管の保持装置としている。
【発明の効果】
【００２４】
本発明の請求項１によれば、被検体をＸ線撮影する撮影室の天井部、あるいは撮影室の天井部天井面のＸＹ方向にスライドされる移動架台、にその上端部を支持し、下端部に取着されるＸ線管を撮影室内の被検体に向けて昇降可能とする伸縮軸からなり、軸線を上下方向に対応させる径の異なる少なくとも２本以上の管状体を、大径の管状体の内周部の周方向での複数位置にローラ状の軸受を配設し、小径の管状体の外周面を前記ローラ状の軸受に対して当接させるようにして大径の管状体内に小径の管状体を内挿させる状態でスライド可能に支持させ、大径の管状体に対して小径の管状体を上昇スライドすることで大径の管状体内に小径の管状体を格納可能とし、大径の管状体に対して小径の管状体を下降スライドすることで大径の管状体から小径の管状体を外部に進出させるようにして相互に嵌合され、最大径の管状体の上端部を上記天井部あるいは移動架台に支持し、最小径の管状体の下端部に上記Ｘ線管を取着し、大径の管状体に対する小径の管状体の軸線方向でのスライドにより、Ｘ線管を撮影室内の被検体に向けて昇降可能とする全体竹の子形状の多段式の伸縮軸を備えたＸ線管の保持装置にあって、前記大径の管状体の下方位置の周方向での複数位置に切欠きを形成し、該切欠き部分に取着可能とされ、取着状態において小径の管状体の外周面に対向するその内周部に、ローラ状の軸受を支持する支持板を備えることとし、一方小径の管状体の外周面のうち、前記支持板に支持されるローラ状の軸受の対向位置には、上下方向に延設され、支持板に支持されるローラ状の軸受に対して当接可能なレール部材を備えることとしたため、伸縮軸の全体の径は各管状体切欠き厚み分だけ薄肉にすることができ、伸縮軸を小径でコンパクトなものとすることができ、その分装置全体をコンパクトにすることができる。また大径の管状体の切欠き部分に取着される支持板の内周部に支持されるローラ状の軸受は、そのローラ面が小径の管状体の外周面における上下方向に延設されるレール部材と当接するようにして伸縮軸の全体を昇降することができるため、伸縮軸の昇降操作を静穏かつスムーズに行うことが可能となる。さらにローラ状の軸受は支持板の内周部に支持されるため、軸受とレール部材との間にガタツキが発生した場合の軸受部分の取付調整、軸受に対する注油などのメンテナンス作業については支持板を切欠き部分より取着解除して行うことが可能となり、伸縮軸に対するメンテナンスについても簡易に行うことを可能とするＸ線管の保持装置を提供することという効果がある。
【００２５】
また、本発明の請求項２によれば、前記ローラ状の軸受に対して当接可能なレール部材を、小径の管状体の外周面の上下方向に延設される凹条の内部において、その上下方向に延設形成される嵌合溝に嵌合可能に支持させ、該嵌合溝に交換可能に支持される長尺の棒状体としたため、伸縮軸の全体の径は前記各管状体切欠き厚み分に加えて、小径の管状体の外周面に形成される凹条の深さ分についても薄肉にすることができ、伸縮軸を小径でコンパクトなものとすることができ、その分装置全体をコンパクトにすることができる。またレール部材についても軸受とレール部材との間にガタツキが発生した場合に嵌合溝から取り外して交換することが可能となり、該交換作業は大径の管状体に対して小径の管状体を下降スライドすることで大径の管状体から小径の管状体を外部に進出させ、露出された小径の管状体の外表面に形成された嵌合溝に対して棒材からなるレール部材を交換して行われるため、各管状体を分解することなくそのメンテナンス作業を簡単に行うことができるという効果がある。
【００２６】
また、本発明の請求項３によれば、前記嵌合溝が半円形状に湾曲する形状で小径の管状体の外周面の上下方向に延設され、一方嵌合溝に嵌合可能とされ、交換可能に支持される長尺の棒状体からなるレール部材は、断面円形のものとされて前記嵌合溝の半円形状に湾曲する部分にその断面半円部分を嵌合・支持され、嵌合溝に支持されていない他の半円部分の接線位置において、前記ローラ状の軸受に当接可能とされるので、軸受のローラ面とレール部材は面接触ではなく、線接触で当接されることとなり、軸受とレール部材との間に隙間が発生した場合においてもガタツキを極力解消することができ、Ｘ線管を昇降操作する際にガタガタとする異音を発生することも軽減され、伸縮軸の昇降操作を静穏かつスムーズに行うことができるという効果がある。
【００２７】
また、本発明の請求項４によれば、前記長尺の棒状体からなるレール部材は、スチールやアルミニウムからなる金属製の棒材またはゴム製、合成樹脂製の棒材のいずれかとしたため、Ｘ線管の保持装置における伸縮軸の耐久性に応じて様々な素材を選択することが可能となる。
【００２８】
また、本発明の請求項５によれば、前記嵌合溝に対する棒状体からなるレール部材の交換は、大径の管状体に対して小径の管状体を下降スライドし、大径の管状体に対して小径の管状体を外部に進出させる状態で行うことが可能となるため、軸受とレール部材との間にガタツキが発生した場合に嵌合溝から取り外して交換することが可能となり、該交換作業は大径の管状体に対して小径の管状体を下降スライドすることで大径の管状体から小径の管状体を外部に進出させ、露出された小径の管状体の外表面に形成された嵌合溝に対して棒材からなるレール部材を交換して行われるため、各管状体を分解することなくそのメンテナンス作業を簡単に行うことができるという効果がある。
【００２９】
また、本発明の請求項６によれば、前記切欠き部分に対する支持板の取着状態において、小径の管状体の外周面に対向する支持板内周部に備えられるローラ状の軸受は、その軸線を小径の管状体の外周面に対する接線方向に対して傾斜して配置し、レール部材と当接するローラ面についても傾斜状態にして支持板の内周部に支持するものとされ、一方小径の管状体の外周面のうち、前記支持板に支持されるローラ状の軸受の対向位置において、ローラ状の軸受に対して当接可能に備えられるレール部材は、小径の管状体の外周面の上下方向に延設される凹条の内部において、その上下方向に延設形成される嵌合溝に嵌合可能に支持される長尺の棒状体とされ、支持板の内周部に支持されるローラ状の軸受は、前記凹条の内部の嵌合溝に支持される長尺の棒状体とそのローラ面が当接されるように凹条の内部に向けて突出するように形成され、一方嵌合溝に嵌合可能に支持される長尺の棒状体については傾斜状態のローラ面と棒状体を支持する嵌合溝の形成面が平行となるように小径の管状体の外周面の上下方向において凹条を傾斜状態で形成することとしたため、伸縮軸の全体の径は、軸受が傾斜状態で支持される厚み分と、小径の管状体の外周面に形成される凹条の深さ分についても薄肉にすることができ、伸縮軸を小径でコンパクトなものとすることができ、その分装置全体をコンパクトにすることができる。
【００３０】
また、本発明の請求項７によれば、前記切欠き部分に対する支持板の取着状態において、小径の管状体の外周面に対向する支持板内周部に備えられるローラ状の軸受は、その軸線を小径の管状体の外周面に対する接線方向に対して相互に異なる傾斜状態で少なくとも一対配置して構成し、各軸受はレール部材と当接するローラ面についても傾斜状態にして支持板の内周部に支持するものとされ、一方小径の管状体の外周面のうち、前記支持板に支持される各ローラ状の軸受の対向位置においても、各ローラ状の軸受に対して当接可能に突状のレール部材を対応配置し、各レール部材は小径の管状体の外周面の上下方向に延設される凹条の内部において、その上下方向に延設形成される嵌合溝に嵌合可能に支持される長尺の棒状体とされ、支持板の内周部に支持される各ローラ状の軸受は、前記凹条の内部の嵌合溝に支持される対応する長尺の棒状体とそのローラ面が当接されるように凹条の内部に向けて突出するように形成され、一方嵌合溝に嵌合可能に支持される各長尺の棒状体については対応する傾斜状態のローラ面とこれに当接する棒状体を支持する嵌合溝の形成面が平行となるように小径の管状体の外周面の上下方向において凹条を傾斜状態で形成することとしたため、請求項６と同様に伸縮軸の全体の径は、軸受が傾斜状態で支持される厚み分と、小径の管状体の外周面に形成される凹条の深さ分についても薄肉にすることができ、伸縮軸を小径でコンパクトなものとすることができ、その分装置全体をコンパクトにすることができる。
【００３１】
また、本発明の請求項８によれば、前記大径の管状体の下方位置の周方向での複数位置に形成される切欠き部分に取着可能とされる支持板は、大径の管状体の周部における対向する少なくとも２位置に配設され、該支持板を取着する大径の管状体の周部に形成される切欠き部分も大径の管状体の周部において対向する少なくとも２位置に配設され、さらに該切欠きは大径の管状体の周部対応位置に穿設形成される角孔とされ、この角孔に取着される支持板は、該角孔の周部に形成される段部と嵌合されてその四隅を段部にネジ止め可能とし、嵌合状態においてその外面位置をその外方に外挿される大径の管状体の外周面よりも内方に位置決め可能となるよう薄肉の板状体にて形成したため、伸縮軸を小径でコンパクトなものとすることができ、その分装置全体をコンパクトにすることができる。また軸受とレール部材との間にガタツキが発生した場合や軸受部分の取付調整、軸受に対する注油などのメンテナンス作業については、四隅を段部にネジ止めされる支持板をネジを取り外して切欠き部分から取着解除して行うことが可能となり、伸縮軸に対するメンテナンスについても簡易に行うこが可能となる
【００３２】
さらに本発明の請求項９によれば、被検体をＸ線撮影する撮影室の天井部、あるいは撮影室の天井部天井面のＸＹ方向にスライドされる移動架台、にその上端部を支持し、下端部に取着されるＸ線管を撮影室内の被検体に向けて昇降可能とする伸縮軸からなり、軸線を上下方向に対応させる径の異なる少なくとも３本以上の管状体にて構成し、大径の管状体のうち、上端部を上記天井部あるいは移動架台に支持してなる最大径の管状体の下端部周方向での複数位置には、最大径の管状体の内方に直接内挿され、最大径の管状体にスライド可能に支持される小径の管状体の外周面の下方位置の周方向での複数位置の切欠き部分に取着可能とされる支持板を、最大径の管状体に対して該小径の管状体を上昇スライドする最大径の管状体内に該小径の管状体を格納する状態において、係入・位置決め可能とする切除ガイドを備えることとしたため、伸縮軸の昇降ストロークをその分大きくすることが可能となる他、最大径の管状体の内方に位置する小径の管状体の外周面に取着可能とされる支持板の厚み分についても伸縮軸の全体を薄肉にすることができ、伸縮軸を小径でコンパクトなものとすることができ、その分装置全体をコンパクトにすることができる。
【図面の簡単な説明】
【００３３】
【図１】本発明の実施形態に係るＸ線管の保持装置における伸縮軸の斜視図である。
【図２】本発明の実施形態に係るＸ線管の保持装置の全体を示す正面図である。
【図３】Ｘ線管の保持装置の全体を示す底面図である。
【図４】Ｘ線管の保持装置の全体を示す平面図である。
【図５】Ｘ線管の保持装置の全体を示す背面図である。
【図６】Ｘ線管の保持装置の全体を示す左側面図である。
【図７】Ｘ線管の保持装置の全体を示す右側面図である。
【図８】伸縮軸を伸長させた状態を示す図７と同様の右側面図である。
【図９】Ｘ線管の保持装置における伸縮軸であって、大径の管状体に対して各小径の管状体を上昇スライドすることで大径の管状体内に小径の管状体を格納させた状態を示す斜視図である。
【図１０】最大径の管状体の切欠き部に取着される支持板の一部を破断し、支持板の内周部に支持されるローラ状の軸受の配設状態を示す斜視図である。
【図１１】小径の管状体の外周面の上下方向に延設される凹条の内部において、その上下方向に延設形成される嵌合溝にレール部材としての棒状体を嵌合させる状態を示す斜視図である。
【図１２】図９のＸII−ＸII線に沿う断面図である。
【図１３】図９のＸIII−ＸIII線に沿う断面図である。
【図１４】従来のＸ線管の保持装置における伸縮軸であって、大径の管状体に対して各小径の管状体を下降スライドすることで大径の管状体から小径の管状体を外部に進出させた状態を示す斜視図である。
【図１５】従来のＸ線管の保持装置における伸縮軸であって、大径の管状体に対して各小径の管状体を上昇スライドし、管状体を格納した状態を示す斜視図である。
【図１６】図１５のＸＶ−ＸＶ線に沿う拡大断面図である。
【発明を実施するための形態】
【００３４】
図１ないし図１３は、本発明の実施形態に係るＸ線管の保持装置を示す。このＸ線管の保持装置１１は、図１４に示す従来の天井懸垂タイプＸ線管の保持装置と同様に、撮影室の天井部の天井面にＹ方向移動ガイド用の固定レールとしてのＸレール１３を支持している。このＸレール１３には、Ｘ方向に沿ってスライド可能とされる移動レールとしてのＹレール１４が支持される。さらにこのＹレール１４には、Ｙレール１４に沿ってＹ方向にスライド可能とされる移動架台１５が支持される。天井面に対しＸレール１３に沿ってＸ方向にスライド可能とされ、かつＹレール１４に沿ってＹ方向にスライド可能とされる移動架台１５には、本発明の実施形態に係る伸縮軸１６の上端部が支持され、該伸縮軸１６の下端部には撮影室内にいる被検体（患者、検査対象者等）をＸ線撮影するためのＸ線管１７が支持される。
【００３５】
すなわち、撮影室内の被検体は、通常撮影室内の床面に支持されるベッドに横臥状態とされるか、床面に起立する状態にあり、伸縮軸１６の下端に支持されるＸ線管１７は、天井面に対して移動架台１５に支持される伸縮軸１６をＸレール１３に沿ってＸ方向にスライド可能とされ、かつＹレール１４に沿ってＹ方向にスライドさせることで被検体の撮影位置に向けて水平移動させることを可能とし、さらにＸ線管１７を移動架台１５に対して伸縮軸１６を上下方向（Ｚ方向）に伸縮させてスライドすることで、被検体の撮影位置に対応させる状態で昇降し、位置決めすることを可能にしている。
【００３６】
上端部を移動架台１５に支持し、下端部にＸ線管１７を取着する状態で支持してなる伸縮軸１６は、軸線を上下方向（Ｚ方向）に対応させる径の異なる３本の管状体を、全体竹の子形状に多段式に収納する状態で形成してなる。すなわち、図１ないし図１３に示されるＸ線管の保持装置１１における伸縮軸１６においては、その上端部を移動架台１５に支持する大径の管状体１６Ａ、その内周部に内挿される管状体１６Ｂ、その内周部に内挿される管状体１６Ｃの、大径のものから順次小径のものを内挿してなる合計３本の管状体１６Ａ〜６Ｃにて構成され、各管状体１６Ａ〜１６Ｃはそれぞれ丸管状の金属材にて構成してなる。
【００３７】
大径のものから順次小径のものを、その内周部に内挿して構成される管状体６Ａ〜６Ｃのうち、最大径の管状体１６Ａとその内周部に内挿される管状体１６Ｂには、各管状体１６Ａ，１６Ｂの下方位置の周方向での角度１８０度対向する２つの離隔位置に、角孔状の切欠き３０を形成するようにしている（図１２，１３参照）。すなわち、各角孔状の切欠き３０は、対応する管状体１６Ａ，１６Ｂの周部対応位置に穿設形成される長方形状の角孔とされる。該切欠き３０の部分には、図１あるいは図９に示す長方形状の支持板３１が取着される。各支持板３１は、対応する切欠き３０の部分に対する取着状態において、その内周部に内挿される小径の管状体（管状体１６Ａにあっては管状体１６Ｂ，管状体１６Ｂにあっては管状体１６Ｃ）の外周面に対向する状態で、それぞれの内周面部にローラ状の軸受２６Ａ並びに２６Ｂを備えるようにしている（図１０および図１２，図１３参照）。
【００３８】
角孔状の切欠き３０に対する対応する支持板３１の取着は、各管状体１６Ａ、管状体１６Ｂにおいて、それぞれ周部における対向する２位置に形成される切欠き３０に対し、その四隅をネジ止めして行うようにしている。すなわち、各切欠き３０（角孔）は、図１２、図１３に示すようにその周部に段部３２を備えてなり、支持板３１はこの段部３２の部分に嵌合させ、さらに四隅の部分を図１０で示すようにネジ３３で段部３２に止着し、対応する大径の管状体（１６Ａ，１６Ｂ）の切欠き３０を閉塞するよう該切欠き３０に取着してなる。
【００３９】
支持板３１のうち、管状体１６Ｂの切欠き３０に対して嵌合され、取着される状態の支持板３１は、その外面位置を、その外方に外挿される大径の管状体１６Ａの外周面位置（図１２、図１３の２点鎖線に示す位置）よりも内方に位置決め可能となるよう薄肉の板状体で形成される。
【００４０】
こうして、管状体１６Ｂに形成される角孔状の切欠き３０を閉塞し、取着される支持板３１は、上端部を移動架台１５に支持してなる最大径の管状体１６Ａの下端周方向２位置に形成される切除ガイド３４に対し、図９に示す伸縮軸１６の収容状態において係入・位置決めされる。すなわち、管状体１６Ｂは、最大径の管状体１６Ａに対しての図１の矢印Ｑに示す上昇スライド方向にスライドする管状体１６Ａに対する管状体１６Ｂの格納状態において、切除ガイド３４の部分に管状体１６Ｂの切欠き３０に取着される支持板３１の部分が係入・位置決めされ（図９参照）、この状態において支持板３１の外面位置は、最大径の管状体１６Ａの外周面位置（図１２、図１３の２点鎖線に示す位置）よりも内方に位置決め可能となる。
【００４１】
各管状体１６Ａ，１６Ｂの角孔状の切欠き３０に対して取着される支持板３１の、内周部に備えられるローラ状の軸受２６Ａと２６Ｂは、支持板３１の対応する切欠き３０に対する取着状態において、その軸線を内方に内挿される管状体（１６Ａ，１６Ｂ）の外周面に対する折線方向に対し、角度α１あるいは角度α２、傾斜して配置している。ここで１つの支持板３１の内方位置において配置し、構成される各軸受２６Ａと２６Ｂは、管状体（１６Ａ，１６Ｂ）の外周面に対する折線方向に対し、相互に異なる角度α１と角度α２の傾斜状態で管状体（１６Ａ，１６Ｂ）の内方に向けて配置されることとなる。さらに各軸受２６Ａと２６Ｂは、１つの支持板３１の内周部において、上方から下方へと順次４つ配置してなる（図１０参照）。１つの支持板３１において、その内方に内挿される管状体（１６Ｂ，１６Ｃ）に対向配置される４つの各軸受２６Ａと２６Ｂは、図１０に示すように上方から下方にかけて順次異なる傾斜状態で交互に配置されることとなる。
【００４２】
各管状体１６Ａ，１６Ｂの切欠き３０にそれぞれ支持板３１が取着される状態において、当該支持板３１の内周側に内挿される小径の管状体（管状体１６Ａに対する管状体１６Ｂ、管状体１６Ｂに対する管状体１６Ｃ）の外周面には、上下方向（Ｚ方向）に延設され、前記支持板３１に支持されるローラ状の軸受２６Ａと２６Ｂのローラ面に当接可能なレール部材３５が備えられる。
【００４３】
ローラ状の軸受２６Ａと２６Ｂのローラ面に対して当接されるレール部材３５は、各小径の管状体（１６Ｂ，１６Ｃ）の外周面の上下方向（Ｚ方向に沿って延設される凹状３６の内部において、２条備えられる（図１０，図１１，図１２，図１３参照）。
【００４４】
ここで各管状体１６Ｂ，１６Ｃの上下方向（Ｚ方向）に沿って延設され凹状３６は、断面略Ｖ字状のものとされ（図１２，図１３参照）、支持板３１の内周面に備えられる各軸受２６Ａと２６Ｂの軸線方向に対応する傾斜状態（すなわち軸線と平行となる傾斜状態）で管状体１６Ｂ，１６Ｃの外表面に形成される。断面略Ｖ字状の凹状３６の内部において、異なる傾斜で形成される各面部には、上下方向（Ｚ方向）に沿って嵌合溝３７が延設形成され、前記レール部材３５はこの嵌合溝３７に嵌合可能に支持される。
【００４５】
ここで嵌合溝３７は、断面半円形状に湾曲する形状で、小径の管状体１６Ｂ，１６Ｃの上下方向に延設され（図１２，図１３参照）、一方嵌合溝３７に嵌合され、支持されるレール部材３５は、全体円柱形状で長尺の棒状体とされる。すなわち、レール部材３５は、断面円形をなすのものとされて前記嵌合溝３７の半円形状に湾曲する部分にその断面半円部分を嵌合・支持させ、嵌合溝３７に支持されていない他の半円部分の接線位置において、対向配置されるローラ状の軸受２６Ａと２６Ｂのローラ面に当接可能となる（図１２，図１３参照）。
【００４６】
長尺の棒状体からなるレール部材３５は、図１１に示すように大径の管状体１６Ａ，１６Ｂに対する小径の管状体１６Ｂ，１６Ｃの下降スライド状態、すなわち大径の管状体１６Ａ，１６Ｂに対する小径の管状体１６Ｂ，１６Ｃの外部進出状態において矢印で示すように凹状３６内の各嵌合溝３７に嵌合させるように行われる。すなわち、レール部材３５は、各管状体１６Ｂ，１６Ｃの外周面が露出される各小径の管状体１６Ｂ，１６Ｃの対応する大径の管状体１６Ａ，１６Ｂに対する下降スライド状態でその作業を行うことが可能となる。こうした作業は、例えばレール部材３５が摩耗し、交換する際においても行うことが可能となり、レール部材３５の交換は、前記のように各管状体１６Ｂ，１６Ｃの外周面が露出される各小径の管状体１６Ｂ，１６Ｃの対応する大径の管状体１６Ａ，１６Ｂに対する下降スライド状態でその作業を行うことが可能となる。
【００４７】
なお、長尺の棒状体からなるレール部材３５は、スチールあるいはアルミニウム製の棒材からなる耐久性を備えた金属製のものが採用可能とされる。また、消音あるいは静穏状態で伸縮軸１６を昇降させたい場合においては、ゴム製あるいは合成樹脂製の棒材とし、ローラ面が転動する際の軸受２６Ａ、２６Ｂとの干渉音を軽減させることも可能とされる。
【００４８】
対応する切欠き３０部分に取着される支持板３１の内周部に備えられる各軸受２６Ａ、２６Ｂは、前記のように軸線を対向配置される小径の管状体１６Ｂ，１６Ｃの外周面に対する接線方向に対して交互に傾斜して配置し、それぞれローラ面を前記レール部材３５に当接させて軸線を中心に転動可能とされる。しかも各軸受２６Ａ、２６Ｂのローラ面は、支持板３１の切欠き３０に対する取着状態で、対向する長尺の棒状体からなるレール部材３５が配設される凹条３６の内部に向けて突出するように形成される。
【００４９】
ここで上記のように小径の管状体１６Ｂ，１６Ｃの外周面に対する接線方向に対し、軸線を角度α２分傾斜して配置してなる軸受２６Ａ、軸線を角度α１分傾斜して配置してなる軸受２６Ｂのそれぞれは、断面略Ｖ字状の凹条３６において、対応する軸受２６Ａ、２６Ｂのローラ面と当接するレール部材３５を、嵌合状態で支持する嵌合溝３７の形成面とが平行となるようにし、各小径の管状体１６Ｂ，１６Ｃの外周面において、その上下方向（Ｚ方向）に凹条３６を刻設形成するようにしている。
【００５０】
こうして３つの管状体１６Ａ，１６Ｂ，１６Ｃを組み合わせて形成される伸縮軸１６は、図７に示すように各大径の管状体１６Ａ，１６Ｂに対してそれぞれ小径の管状体１６Ｂ，１６Ｃを上昇スライドすることで大径の管状体１６Ａ，１６Ｂ内に小径の管状体１６Ｂ，１６Ｃを格納することを可能とし、これとは逆に図８に示すように各大径の管状体１６Ａ，１６Ｂに対して小径の管状体１６Ｂ，１６Ｃを下降スライドすることで大径の管状体１６Ａ，１６Ｂから順次小径とされる管状体１６Ｂ，１６Ｃを外部に進出させることを可能としている。大径の管状体１６Ａ，１６Ｂの下方位置と小径の管状体１６Ｂ，１６Ｃの上方位置には、例えば図１で示すように大径の管状体１６Ａから小径の管状体１６Ｂを外部に進出させる進出端を規制し、相互に咬合するスライドストッパとしての咬合ピン３９Ａが小径の管状体１６Ｂの外表面に、前記咬合ピン３９Ａと咬合するスライドストッパとしての咬合片３９Ｂが大径の管状体１６Ａの下端内周部に形成される。こうして各管状体１６Ａ〜１６Ｃは、相互に嵌合される状態で組み合わされることとなる。最大径の管状体１６Ａの上端部は上記のように移動架台１５に支持され、一方最小径の管状体１６Ｃの下端部には上記Ｘ線管１７が取着される。
【００５１】
最小径の管状体１６Ｃの下端部に取着されるＸ線管１７には、図２および図６に示すように操作盤１８が取着され、該操作盤１８には操作盤１８からその両側部へ延びる状態で操作ハンドル１９が備えられる。また操作盤１８には、操作モニタ２０、操作スイッチ２０Ｒがそれぞれ備えられ、レントゲン技師においては一対の操作ハンドル１９を把持し、手動あるいは操作スイッチ２０Ｒを操作することで、移動架台１５を天井面に対しＸＹ方向に水平移動し、さらに移動架台１５に対して伸縮軸１６を伸縮させてＸ線管１７を上下方向（Ｚ方向）に昇降させることを可能にしている。
【００５２】
さらに一対の操作ハンドル１９を把持し、手動あるいは操作スイッチ２０Ｒを操作するレントゲン技師においては、Ｘ線管１７の被検体（患者、検査対象者等）の撮影方向（Ｘ線の照射方向）が図２において矢印Ｐ方向とされるため、操作ハンドル１９を把持する状態でＸ線管１７を伸縮軸１６の最小径の管状体１６Ｃの下端部に対してθ１方向に回動操作したり、θ２方向に回動操作し、被検体（患者、検査対象者等）対してＸ線管１７を対応位置決めし、所定の撮影可能状態に指向させるようにしている。
【００５３】
こうして形成される伸縮軸１６を備えたＸ線管の保持装置１１は、前記大径の管状体１６Ａ，１６Ｂの下方位置の周方向での２位置に切欠き３０を形成し、該切欠き３０の部分に取着可能とされ、取着状態において小径の管状体１６Ｂ，１６Ｃの外周面に対向するその内周部に、ローラ状の軸受２６Ａ、２６Ｂを支持する支持板３１を備えることとしている。一方小径の管状体１６Ｂ，１６Ｃの外周面のうち、前記支持板３１に支持されるローラ状の軸受２６Ａ、２６Ｂの対向位置には、上下方向に延設され、支持板３１に支持されるローラ状の軸受２６Ａ、２６Ｂに対して当接可能なレール部材３５を備えることとしたため、伸縮軸１６の全体の径は各管状体１６Ａ，１６Ｂの切欠き３０に取着される支持板３１の厚み分だけ薄肉にすることができ、伸縮軸１６を小径でコンパクトなものとすることができ、その分装置全体をコンパクトにすることができる。また大径の管状体１６Ａ，１６Ｂの切欠き部分３０に取着される支持板３１の内周部に支持されるローラ状の軸受２６Ａ、２６Ｂは、そのローラ面が小径の管状体１６Ｂ，１６Ｃの外周面における上下方向に延設される突状のレール部材３５と当接するように転動し、伸縮軸１６の全体を昇降することができるため、伸縮軸１６の昇降操作を静穏かつスムーズに行うことが可能となる。さらにローラ状の軸受２６Ａ、２６Ｂは支持板３１の内周部に支持されるため、軸受２６Ａ、２６Ｂとレール部材３５との間にガタツキが発生した場合の軸受２６Ａ、２６Ｂ部分の取付調整、軸受２６Ａ、２６Ｂに対する注油などのメンテナンス作業については支持板３１を切欠き３０部分より取着解除して行うことが可能となり、伸縮軸１６に対するメンテナンスについても簡易に行うことを可能とするＸ線管の保持装置１１を提供することが可能となる。
【００５４】
また上記伸縮軸１６を備えたＸ線管の保持装置１１は、ローラ状の軸受２６Ａ、２６Ｂに対してローラ面を転動させるようにして当接可能なレール部材３５を、小径の管状体１６Ｂ，１６Ｃの外周面の上下方向に延設される凹条３６の内部において、その上下方向に延設形成される嵌合溝３７に嵌合可能に支持させ、該嵌合溝３７に交換可能に支持される長尺の棒状体としている。このため、伸縮軸１６の全体の径は前記各管状体１６Ａ，１６Ｂの切欠き部分３０に取着される支持板３１の厚み分に加えて、小径の管状体１６Ｂ，１６Ｃの外周面に形成される凹条３６の深さ分についても薄肉にすることができ、伸縮軸１６を小径でコンパクトなものとすることができ、その分装置全体をコンパクトにすることができる。またレール部材３５についても軸受２６Ａ、２６Ｂとレール部材３５との間にガタツキが発生した場合に嵌合溝３７から取り外して交換することが可能となり、該交換作業は大径の管状体１６Ａ，１６Ｂに対して小径の管状体１６Ｂ，１６Ｃを下降スライドすることで大径の管状体１６Ａ，１６Ｂから小径の管状体１６Ｂ，１６Ｃを外部に進出させ、露出された小径の管状体１６Ｂ，１６Ｃの外表面に形成された嵌合溝３７に対して棒材からなるレール部材３５を交換して行うことができ、各管状体１６Ａ〜１６Ｃを分解することなくそのメンテナンス作業が簡単となる。
【００５５】
また上記伸縮軸１６を備えたＸ線管の保持装置１１は、前記嵌合溝３７が半円形状に湾曲する形状で小径の管状体１６Ｂ，１６Ｃの外周面の上下方向に延設され、一方嵌合溝３７に嵌合可能とされ、交換可能に支持される長尺の棒状体からなるレール部材３５は、断面円形のものとされて前記嵌合溝３７の半円形状に湾曲する部分にその断面半円部分を嵌合・支持され、嵌合溝３７に支持されていない他の半円部分の接線位置において、前記ローラ状の軸受２６Ａ、２６Ｂに当接可能とされるので、軸受２６Ａ、２６Ｂのローラ面とレール部材３５は面接触ではなく、線接触で当接されることとなり、軸受２６Ａ、２６Ｂとレール部材３５との間に隙間が発生した場合においてもガタツキを極力解消することができ、Ｘ線管１７を昇降操作する際にガタガタとする異音を発生することも軽減され、伸縮軸１６の昇降操作を静穏かつスムーズに行うことができるという効果がある。
【００５６】
また上記伸縮軸１６を備えたＸ線管の保持装置１１は、前記長尺の棒状体からなるレール部材３５を、スチールあるいはアルミニウム製の棒材で形成される金属製にすることができる他、ゴム製、合成樹脂製としてもよく、Ｘ線管の保持装置における伸縮軸１６の耐久性に応じて様々な素材を選択することが可能となる。
【００５７】
また上記伸縮軸１６を備えたＸ線管の保持装置１１は、前記切欠き３０部分に対する支持板３１の取着状態において、小径の管状体１６Ｂ，１６Ｃの外周面に対向する支持板３１内周部に備えられるローラ状の軸受２６Ａ、２６Ｂを、その軸線が小径の管状体１６Ｂ，１６Ｃの外周面に対する接線方向に対して相互に異なる傾斜状態で合計４つ備えるようにして構成し、各軸受２６Ａ、２６Ｂはレール部材３５と当接するローラ面についても傾斜状態にして支持板３１の内周部に支持するものとされ、一方小径の管状体１６Ｂ，１６Ｃの外周面のうち、前記支持板３１に支持される各ローラ状の軸受２６Ａ、２６Ｂの対向位置においても、各ローラ状の軸受２６Ａ、２６Ｂに対して当接可能に突状のレール部材３５を対応配置している。すなわち、各突状のレール部材３５は小径の管状体１６Ｂ，１６Ｃの外周面の上下方向に延設される凹条３６の内部において、その上下方向に延設形成される嵌合溝３７に嵌合可能に支持される長尺の棒状体とされ、支持板３１の内周部に支持される各ローラ状の軸受２６Ａ、２６Ｂは、前記凹条３６の内部の嵌合溝３７に支持される対応する長尺の棒状体とそのローラ面が当接されるように凹条３６の内部に向けて突出するように形成され、一方嵌合溝３７に嵌合可能に支持される各長尺の棒状体については対応する傾斜状態のローラ面とこれに当接する棒状体を支持する嵌合溝３７の各形成面が平行となるように小径の管状体１６Ｂ，１６Ｃの外周面の上下方向において凹条３６を断面略Ｖ字形状からなる傾斜状態で形成することとしている。このため、伸縮軸１６の全体の径は、軸受２６Ａ、２６Ｂが傾斜状態で支持される厚み分と、小径の管状体１６Ｂ，１６Ｃの外周面に形成される凹条３６の深さ分についても薄肉にすることができ、伸縮軸１６を小径でコンパクトなものとすることができ、その分装置全体をコンパクトにすることができる。
【００５８】
また上記伸縮軸１６を備えたＸ線管の保持装置１１は、前記大径の管状体１６Ａ，１６Ｂの下方位置に形成される切欠き３０部分に取着可能とされる支持板３１が、大径の管状体１６Ａ，１６Ｂの周部における対向する２位置に配設され、該支持板３１を取着する大径の管状体１６Ａ，１６Ｂの周部に形成される切欠き３０部分も大径の管状体１６Ａ，１６Ｂの周部において対向する２位置に配設され、さらに該切欠き３０は大径の管状体１６Ａ，１６Ｂの周部対応位置に穿設形成される角孔とされる。この角孔に取着される支持板３１は、該角孔の周部に形成される段部３２と嵌合されてその四隅を段部３２にネジ止めし、嵌合状態においてその外面位置をその外方にに外挿される大径の管状体１６Ａの外周面よりも内方に位置決め可能となるよう薄肉の板状体にて形成している。このため、伸縮軸１６を小径でコンパクトなものとすることができ、その分装置全体をコンパクトにすることができる。また軸受２６Ａ、２６Ｂとレール部材３５との間にガタツキが発生した場合や軸受２６Ａ、２６Ｂ部分の取付調整、軸受２６Ａ、２６Ｂに対する注油などのメンテナンス作業の必要が生じた場合、四隅を段部３２にネジ止めされる支持板３１を、ネジ３３を取り外して切欠き３０部分から取着解除して行うことが可能となり、伸縮軸１６に対するメンテナンスについても簡易に行うこが可能となる
【００５９】
さらに上記伸縮軸１６を備えたＸ線管の保持装置１１は、軸線を上下方向に対応させる径の異なる少なくとも３本の管状体１６Ａ，１６Ｂ，１６Ｃにて伸縮軸１６を構成し、大径の管状体１６Ａ，１６Ｂのうち、上端部を移動架台１５に支持してなる最大径の管状体１６Ａの下端部周方向での２位置には、最大径の管状体１６Ａの内方に直接内挿され、最大径の管状体１６Ａにスライド可能に支持される小径の管状体１６Ｂの外周面の下方位置の周方向での２位置の切欠き３０部分に取着可能とされる支持板３１を、最大径の管状体１６Ａに対して該小径の管状体１６Ｂを上昇スライドする最大径の管状体１６Ａ内に該小径の管状体１６Ｂを格納する状態において、係入・位置決め可能とする切除ガイド３４を備えることとている。このため、伸縮軸１６の昇降ストロークをその分大きくすることが可能となる他、最大径の管状体１６Ａの内方に位置する小径の管状体１６Ｂの外周面に取着可能とされる支持板３１の厚み分についても伸縮軸１６の全体を薄肉にすることができ、伸縮軸１６を小径でコンパクトなものとすることができ、その分装置全体をコンパクトにすることができる。
【００６０】
なお、上記実施形態においては、伸縮軸１６を大径から小径へと順次異なる３つの管状体１６Ａ，１６Ｂ，１６Ｃを内挿して構成する全体竹の子形状の多段式のものとしているが、４つ以上の複数本の管状体で構成してもよく、さらに各管状体についても丸管状のものばかりでなく、角管状のものとしてもよい。
【００６１】
また、上記実施形態においては、伸縮軸１６の上端部を天井部天井面のＸＹ方向にスライド可能とされる移動架台１５に支持させているが、伸縮軸１６の上端部を撮影室の天井部の天井面に、直接支持させるようにしてもよい。
【産業上の利用可能性】
【００６２】
本発明は、病院、医院などにおいて被検体（患者、検査対象者等）をＸ線撮影する撮影室の天井部、あるいは撮影室の天井部天井面のＸＹ方向にスライド可能に支持される移動架台、にその上端部を支持し、下端部に取着されるＸ線管を撮影室内の被検体（患者、検査対象者等）に向けて昇降可能とする伸縮軸を備えた天井懸垂タイプのＸ線管の保持装置において採用することが可能とされ、従来に比較して下端部にＸ線管を取着してなる伸縮軸を小径でコンパクトなものとすることができ、しかも昇降操作を静穏かつスムーズに行うことを可能とし、伸縮軸に対するメンテナンスについても簡易に行うことができるＸ線管の保持装置を提供することができる。
【符号の説明】
【００６３】
１，１０：Ｘ線管の保持装置
２：天井面
３，１３：Ｘレール
４，１４：Ｙレール
５，１５：移動架台
６，１６：伸縮軸
６Ａ〜６Ｅ，１６Ａ〜１６Ｃ：管状体
６ａａ，６ｂｂ，６ｃｃ，６ｄｄ，２６Ａ，２６Ｂ：軸受
７，１７：Ｘ線管
８，１８：操作盤
９，１９：操作ハンドル
１０，２０：操作モニタ
１０Ｒ，２０Ｒ：操作スイッチ
３０：切欠き
３１：支持板
３２：段部
３３：ネジ
３４：切除ガイド
３５：レール部材
３６：凹条
３７：嵌合溝
３９Ａ：咬合ピン（スライドストッパ）
３９Ｂ：咬合片（スライドストッパ）
【図１】
0005503386.tif 000002
【図２】
0005503386.tif 000003
【図３】
0005503386.tif 000004
【図４】
0005503386.tif 000005
【図５】
0005503386.tif 000006
【図６】
0005503386.tif 000007
【図７】
0005503386.tif 000008
【図８】
0005503386.tif 000009
【図９】
0005503386.tif 000010
【図１０】
0005503386.tif 000011
【図１１】
0005503386.tif 000012
【図１２】
0005503386.tif 000013
【図１３】
0005503386.tif 000014
【図１４】
0005503386.tif 000015
【図１５】
0005503386.tif 000016
【図１６】
0005503386.tif 000017